(57)【要約】【課題】  簡単な構成で、毛羽の発生しにくい、べら針を提供する。【解決手段】  べら４でフック１を開閉させる揺動変位の支点であるリベット５の中心の位置から、べら４の内側と針本体１１の先端のフック１の内側との交差位置１２までの長さＬｘと、支点からフック１の外周先端１ａまでの長さＬｎとの比Ｌｘ／Ｌｎを、０．３５以下で０．２５以上の範囲内とする。交差位置１１で、べら４の内側とフック１の内側とがなす角度θｅは、３８度以上で４５度以下の範囲内とする。フック１内に捕捉した編糸がべら４で挟まれにくくなり、比Ｌｘ／Ｌｎおよび角度θｅを一定の範囲内に留める簡単な構成で、べら針１０として要求される他の特性には影響しないようにバランスさせて、毛羽が発生しにくいべら針を得ることができる。【選択図】  図１
2011032612.tif 000002
【特許請求の範囲】
【請求項１】
針本体の先端に設けられるフックを、歯口に前進させて編糸を捕捉し、編糸を捕捉したフックを歯口から後退させるとともに、針本体に先端側から間隔をあけて設けられる支点を中心に揺動変位するべらでフックを開閉させて編目を形成するべら針において、
べらでフックを閉じている状態で、
針本体が進退変位する方向に関し、支点からべら内側とフック内側との交差位置までの長さＬｘと、支点からフック外周先端までの長さＬｎとの比Ｌｘ／Ｌｎが０．３５以下で０．２５以上の範囲内であり、
かつ、該交差位置でべらと針本体とがなす角度θｅが３８度以上で４５度以下の範囲内である、
ことを特徴とするべら針。
【請求項２】
横編機の針床に、１２ゲージ以上に細かいピッチで配置されて、編目編成に使用されることを特徴とする請求項１記載のべら針。
【請求項３】
前記針床に配置されるピッチに相当するよりも粗い風合いとなる範囲の編地を編成可能なべら針では、前記フックを大きくし、前記比Ｌｘ／Ｌｎを小さくし、前記角度θｅを大きくすることを特徴とする請求項２記載のべら針。
【発明の詳細な説明】
【技術分野】
【０００１】
本発明は、横編機による編地の編成に使用するべら針に関する。
【背景技術】
【０００２】
従来から、横編機による編地の編成には、編針としてべら針が広く使用されている（たとえば、特許文献１参照）。特許文献１の第１頁第１欄第１９行〜第２０行には、「本考案は、べら針と称されているメリヤス編針に関するものである。」と記載されている。図５は、べら針の基本的構成を、特許文献１の第１図に基づいて示す。ただし、説明の便宜上、図５では特許文献１の第１図の左右を反転させており、符号も追加している。
【０００３】
べら針は、フック１を針本体の先端側に有する。針本体のフック１よりも基端側は、針幹２となる。フック１は、鈎状に屈曲し、鈎状部分の先端と針幹２との間に開口する。フック１から間隔をあけた位置の針幹２には、細長溝３が形成される。細長溝３内には、べら４の基端側がリベット５で枢着される。べら４は、リベット５を支点として揺動変位し、遊端側でフック１の開口を、図示のように閉じることができる。また、図示を省略しているけれども、細長溝３内で許容される限界までべら４を図の反時計回り方向に揺動させれば、フック１を開くこともできる。
【０００４】
横編機でウエール方向に連続して編目を編成する場合、べら４の開閉は、フック１内に係止されている編目によって行われる。フック１を歯口に前進させて編糸を捕捉する際には、フック１内に係止されていた編目が相対的に針幹２側に移動する。フック１をべら４が閉じていても、フック１が歯口に前進する際に、編目がフック１内から針幹２側へ移動して、閉じているべら４を内側から開くことができる。移動する編目は、開いた状態となるべら４を乗越えて、針幹２の細長溝３よりも基端側の位置で係止される。歯口でフック１に編糸の供給を受けた後、フック１を歯口から後退させて針床に引込んで新たな編目を形成する際には、針幹２に係止されている旧い編目は相対的にフック１側に移動する。この移動の際に、開いているべら４を起こして、べら４でフック１を閉じさせ、フック１内に新たな編目を係止させながら、旧い編目はフック１を閉じているべら４とフック１の鉤状部分を乗越えて、歯口に離脱する。このようにしてべら針では、各編針でウエール方向に連続する編目を形成することができる。
【０００５】
なお、べら４が閉じてフック１内に新たな編目を係止する際に、べら４と細長溝３の前スロート部６との間の交差位置８付近に存在する編糸が挟まれると、編糸を構成する繊維の一部が損傷し、毛羽起ちしやすくなる。特許文献１では、前スロート部６に進入するべら４の両外側面に面取り部７を設けて、細長溝３とべら４との間の隙間を大きくし、編糸を挟んでも損傷しにくくしている。
【先行技術文献】
【特許文献】
【０００６】
【特許文献１】実公昭６２−６１５４号公報
【発明の概要】
【発明が解決しようとする課題】
【０００７】
特許文献１に示す毛羽防止の面取り部７を設けるような対策を講じていないべら針は、べら４がフック１を閉じる際に、フック１の内側部分とべら４との交差位置８付近に編糸が存在していると、べら４で編糸を形成する繊維の一部を挟んで切断し、細い繊維が部分的に切断される毛羽を発生させ、編地の品質を損ねてしまう可能性がある。
【０００８】
べら針でのフック１およびべら４の形状は、特許文献１の第１図を実測してみると、リベット５の中心からフック１の外周先端１ａまでと交差位置８までとの比が０．４３となる。また、交差位置８で交差するフック１の内周側とべら４の内周側とがなす角度は、３０度となっている。
【０００９】
本発明の目的は、べらとフックとの形状を変化させる簡単な構成で、毛羽の発生しにくい、べら針を提供することである。
【課題を解決するための手段】
【００１０】
本発明は、針本体の先端に設けられるフックを、歯口に前進させて編糸を捕捉し、編糸を捕捉したフックを歯口から後退させるとともに、針本体に先端側から間隔をあけて設けられる支点を中心に揺動変位するべらでフックを開閉させて編目を形成するべら針において、
べらでフックを閉じている状態で、
針本体が進退変位する方向に関し、支点からべら内側とフック内側との交差位置までの長さＬｘと、支点からフック外周先端までの長さＬｎとの比Ｌｘ／Ｌｎが０．３５以下で０．２５以上の範囲内であり、
かつ、該交差位置でべらと針本体とがなす角度θｅが３８度以上で４５度以下の範囲内である、
ことを特徴とするべら針である。
【００１１】
また本発明は、横編機の針床に、１２ゲージ以上に細かいピッチで配置されて、編目編成に使用されることを特徴とする。
【００１２】
また本発明で、前記針床に配置されるピッチに相当するよりも粗い風合いとなる範囲の編地を編成可能なべら針では、前記フックを大きくし、前記比Ｌｘ／Ｌｎを小さくし、前記角度θｅを大きくすることを特徴とする。
【発明の効果】
【００１３】
本発明によれば、べらでフックを開閉させる揺動変位の支点の位置から、べら内側とフック内側との交差位置までの長さＬｘと、支点からフック外周先端までの長さＬｎとの比Ｌｘ／Ｌｎは０．３５以下で０．２５以上の範囲内となり、たとえば特許文献１などの先行技術に開示されているべら針に対して、比較的に小さい。また、交差位置で、べら内側とフック内側とがなす角度θｅは、３８度以上で４５度以下の範囲内となり、先行技術に対して比較的に大きい。このため、フック内に捕捉した編糸がべらで挟まれにくくなる。比Ｌｘ／Ｌｎおよび角度θｅを一定の範囲内に留める簡単な構成で、べら針として要求される他の特性には影響しないようにバランスさせて、毛羽が発生しにくいべら針を得ることができる。
【００１４】
また本発明によれば、１２ゲージ以上に細かいピッチでべら針が配置される横編機での毛羽の発生を抑制することができる。
【００１５】
また本発明によれば、針床に配置されるピッチに対応して定まる横編機としての当該ゲージに相当するよりも、配列ピッチが粗いゲージ相当の風合いの編地を編成する範囲で、比Ｌｘ／Ｌｎを小さくし、角度θｅを大きくする。当該ゲージの編成で使用する編糸よりも太い編糸をフック内に捕捉しても、べらの内側とフックの内側との間で挟みにくくして、毛羽が発生しにくくすることができる。
【図面の簡単な説明】
【００１６】
【図１】本発明の実施の形態のべら針１０の主要部分の構成を、従来のべら針と比較して示す部分的な正面図である。
【図２】本発明の実施例１としてのべら針１０と従来のべら針９とを、先端付近の構成で示す正面図である。
【図３】本発明の実施例２としてのべら針２０と実施例３としてのべら針３０とを、先端付近の構成で示す正面図である。
【図４】本発明の実施例４としてのべら針４０と実施例５としてのべら針５０とを、先端付近の構成で示す正面図である。
【図５】従来からのべら針を、先端付近の構成で示す正面図である。
【発明を実施するための形態】
【００１７】
図１は、本発明の実施の一形態として、実施例１のべら針１０の先端付近の構成を、従来のべら針と対比させて示す。図１以下、図４までで、図５に示す部分に対応する部分には同一の参照符を付し、重複する説明を省略する。また、図１〜図４にも、図５に示すものと同様な細長溝３が設けられるけれども、図示を省略する。
【００１８】
図１に実線で示すべら針１０は、１４ゲージ、すなわち２５．４ｍｍ（１インチ）に１４本の割合で編針が配列される横編機に従来から使用しているべら針と、べら４の形状のみを変更して形成している。すなわち、従来は二点鎖線で示すような交差位置８で、べら４の内側と針本体１１の先端側のフック１の内側とが交差しているけれども、べら針１０では実線で示す交差位置１２でべら４とフック１の内側とが交差する。この結果、べら４の揺動変位の支点となるリベット５の中心からフック１の外周先端１ａまでの長さＬｎは同一でも、リベット５の中心から交差位置１２までの長さＬｘがべら針１０では従来よりも短くなる。このため、比Ｌｘ／Ｌｎの値は、べら針１０の方が従来よりも小さくなる。また、交差位置１２でべら４の内側とフック１の内側とのなす角度θｅは、従来の角度θｐよりも大きくなる。
【００１９】
以下の各実施例で示すように、比Ｌｘ／Ｌｎの値を、０．３５以下で０．２５以上の範囲内、角度θｅの値を、３８度以上で４５度以下の範囲内とすれば、毛羽が発生しにくく、他の特性も損われないことが判明している。なお、フック高さＨｈと、フック長さＬｈとは、フック１の大きさに対応する。
【実施例】
【００２０】
図２は、（ａ）で、本発明の実施例１としてのべら針１０の構成を示し、（ｂ）で従来のべら針９の構成を示す。図３は、（ａ）で、本発明の実施例２としてのべら針２０の構成を示し、（ｂ）で実施例３としてのべら針３０の構成を示す。べら針９，１０，２０，３０は、１４ゲージの横編機に使用する。べら針９，１０は、従来から１４ゲージの横編機と同様に、１４ゲージ付近のゲージ風合いの編地を編成する目的で使用される。べら針２０は、総針編成で１０〜１５ゲージに相当する広い範囲の風合いとなる編地を編成可能な細編成用のべら針である。べら針３０は、針抜き編成で６．５〜１０．５ゲージ、総針編成で９〜１４ゲージに相当する広い範囲の風合いとなる編地を編成可能な粗編成用べら針である。図４は、（ａ）で本発明の実施例４としてのべら針４０の構成を示し、（ｂ）で実施例５としてのべら針５０の構成を示す。べら針４０，５０は、１２ゲージの横編機に使用する。べら針４０は、総針編成で９．５〜１４ゲージに相当する広い範囲の風合いとなる編地を編成可能な細編成用べら針である。べら針５０は、針抜き編成で６〜１０ゲージ、総針編成で８．５〜１２ゲージに相当する広い範囲の風合いとなる編地を編成可能な粗編成用べら針である。
【００２１】
各べら針９，１０，２０，３０，４０，５０では、針幹２に、目移し用の羽根７も設けられる。目移しで編目を対向する針床側に渡す際には、フック１内に係止している編目を、フック１を歯口に前進させて、羽根７の位置まで、相対的に後退させる。目移しを行わないで、歯口で供給される編糸をフック１に捕捉するためにフック１を前進させる際には、目移しの編目渡し側よりも前進量を抑え、編目の後退位置が羽根７に達しない針幹２の位置に留まるようにする。
【００２２】
各べら針９、１０，２０，３０，４０，５０に対し、図１に示す寸法と、実際に横編機に使用して毛羽評価を行った結果を次の表１に示す。なお、Ｌｈ，Ｈｈはフック１の長さおよび高さをそれぞれ示す。長さの単位はｍｍであり、角度の単位は度である。毛羽評価は、「○」印が良好で、「△」印は実用上問題ない程度の毛羽が発生する可能性があり、「×」印で毛羽の発生が認められることを示す。また、この評価を行った範囲内で、毛羽以外の問題は認められていない。
【００２３】
【表１】
2011032612.tif 000003
【００２４】
表１の毛羽評価から、毛羽評価が良好な「○」印となる範囲として、べら針としての寸法精度なども考慮して、前述の比Ｌｘ／Ｌｎおよび角度θｅの範囲が得られている。ただし、毛羽評価は、毛羽が発生しやすい編成条件で編地を編成して行っているので、編地の編成条件を調整すれば、毛羽評価が「△」印となっていても、充分に使用可能である。
また表１は１２ゲージと１４ゲージとについての毛羽評価を示しているけれども、本発明の適用で、１２ゲージ以上に細かいピッチでべら針が配置される横編機での毛羽の発生が抑制可能であることは、容易に推定される。
【００２５】
また表1の１４ゲージについての結果によれば、べら針９，１０のような従来からの１４ゲージに相当するフック高さＨｈ、フック長さＬｈよりも、べら針２０，３０のようにフック高さＨｈまたはフック長さＬｈが大きくなる編針では、比Ｌｘ／Ｌｎを小さくし、角度θｅを大きくする方が好ましい。このようにフックを大きくすると、１４ゲージのピッチでべら針９，１０が針床に配置されて編成する風合いよりも粗い風合いとなる範囲の編地を編成可能となる。比Ｌｘ／Ｌｎを小さくし、角度θｅを大きくすることによって、粗い風合いの編地を編成するための太い編糸をフック１内に捕捉しても、べら４の内側とフック１の内側との間で挟みにくくなり、毛羽が発生しにくくすることができるからであると考えられる。ただし、１２ゲージについての結果では、細編成用のべら針４０についての毛羽評価が必ずしも好ましくない。１２ゲージでも、べら針４０よりもＬｘを大きくして、比Ｌｘ／Ｌｎを大きくしてみることが考えられる。
【符号の説明】
【００２６】
１  フック
１ａ  外周先端
２  針幹
４  べら
５  リベット
１０，２０，３０，４０，５０  べら針
１１  針本体
１２  交差位置
【図１】
2011032612.tif 000004
【図２】
2011032612.tif 000005
【図３】
2011032612.tif 000006
【図４】
2011032612.tif 000007
【図５】
2011032612.tif 000008